(57)【特許請求の範囲】
【請求項１】
汚れを拭き取るための払拭体と、この払拭体を装着して清掃作業を行うための清掃具本体とからなり、
上記払拭体が、圧縮性と弾力性とを有する薄板状のスポンジ体の少なくとも一方の表面に、直径が１〜９μｍの超極細繊維を含む不織布製の着塵布を熱溶着により固着すると共に、一部に清掃具本体に着脱自在に取り付けるための係止孔を設けることにより形成され、
上記清掃具本体が、上記払拭体を取り付けるための取付部材と、該取付部材の上記払拭体で覆われる位置に形成され、上記払拭体の中間部を弾性的に屈曲させた状態で押し込み可能な大きさを有する窪みと、この窪みの内底部に形成され、該窪みの深さよりも高さが低くかつ上記払拭体の係止孔に嵌合、係止可能なフックとを有する、
ことを特徴とする清掃具。
【請求項２】
請求項１に記載の清掃具において、
上記清掃具本体が、一方向に長い平面視矩形状の上記取付部材と、該取付部材の上面に傾動自在に連結された柄棒とからなっていて、
上記取付部材は、下面の幅方向両側部に平坦な払拭体当接面を有すると共に、これらの当接面の間に溝状をした上記窪みを有し、この窪み内に上記フックが複数形成されており、
上記払拭体は、上記取付部材より縦横の寸法が大きく形成されていて、幅方向の両側部が複数の小片に分割されている、
ことを特徴とするもの。
【請求項３】
請求項１に記載の清掃具において、
上記清掃具本体が、平坦な払拭体当接面を有する上記取付部材と、該取付部材に固定的に連なる柄棒とを有していて、上記払拭体当接面に溝状をした上記窪みが形成されると共に、この窪み内に上記フックが複数形成され、
上記払拭体は、上記取付部材の払拭体当接面より外形寸法の大きい薄板状の本体部と、この本端部の先端に形成された複数の小片とを有していて、上記本体部に複数の係止孔が設けられている、
ことを特徴とするもの。
【請求項４】
請求項１に記載の清掃具において、
上記清掃具本体が、柄棒の先端に上記取付部材を有し、
上記払拭体が、上記取付部材に取り付けるための基端部と、対象物を清掃するための作業部とを有していて、該作業部に、柱状の対象物を嵌合させた状態で払拭するための窪みを有する、
ことを特徴とするもの。
【請求項５】
請求項１から４までの何れかに記載の清掃具において、上記複数のフックのうち一部が、係止頭の長さを他のフックより長く形成されていることを特徴とするもの。
【発明の詳細な説明】
【０００１】
【発明の属する技術分野】
本発明は、汚れを拭き取りための払拭体を清掃具本体に装着して清掃作業を行う清掃具に関するものである。
【０００２】
【従来の技術】
従来より床面や家具等の各種清掃対象の清掃に使用する清掃具として、清掃具本体に汚れを拭き取るための払拭シートを装着して使用するものは広く知られている。この種の清掃具においては、不織布や拭布等からなる布製の払拭シートを、清掃具本体の側面や上面の複数箇所に設けたフックに係止させることにより、この清掃具本体に装着するようにしているが、上記フックが他の部分よりも突出しているのが通常であるため、清掃中に邪魔になったり、清掃対象物に接触して傷を付ける可能性があるなど、種々の問題がある。また、上記フックの構成が意外に複雑で扱いが面倒であるため、払拭体の着脱が面倒である。さらに、布製の上記払拭シートは、柔軟で厚さが薄いため、清掃時の使用感が悪い。
【０００３】
【本発明が解決しようとする課題】
本発明の技術的課題は、清掃具本体に払拭体を装着して使用する清掃具を、上記払拭体を係止させるためのフックが外部に突出して清掃の邪魔になったり、対象物と接触して該対象物に傷を付けたりすることがなく、かつ清掃時の使用感に優れたものとして構成することにある。
【０００４】
【課題を解決するための手段】
上記課題を解決するため本発明の清掃具は、汚れを拭き取るための払拭体と、この払拭体を装着して清掃作業を行うための清掃具本体とからなり、上記払拭体が、圧縮性と弾力性とを有する薄板状のスポンジ体の少なくとも一方の表面に、直径が１〜９μｍの超極細繊維を含む不織布製の着塵布を熱溶着により固着すると共に、一部に清掃具本体に着脱自在に取り付けるための係止孔を設けることにより形成され、上記清掃具本体が、上記払拭体を取り付けるための取付部材と、この取付部材の上記払拭体で覆われる位置に形成され、上記払拭体の中間部を弾性的に屈曲させた状態で押し込み可能な大きさを有する窪みと、この窪みの内底部に形成され、該窪みの深さよりも高さが低くかつ上記払拭体の係止孔に嵌合、係止可能なフックとを有することを特徴とするものである。
【０００５】
上記構成を有する清掃具は、上記払拭体の係止孔を上記清掃具本体の窪みの内底部のフックに引っ掛けて係止させることにより、該払拭体を清掃具本体に装着し、必要に応じて払拭体に水や洗浄液を適量含浸させた状態で、清掃対象物に払拭体を押し付けて清掃する。
【０００６】
このとき、上記払拭体が、清掃具本体の取付部材に、その下面にある窪み内の複数のフックにより取り付けられているが、これらのフックは高さが窪みの深さよりも低いため、払拭体を取り付けた状態で該フックが払拭体より外方へ突出することがなく、従って、これらのフックが清掃の邪魔になったり、対象物と接触してそれらを傷を付けたりすることがない。
【０００７】
また、上記払拭体は、スポンジ体の圧縮性と弾性力によって対象物にソフトに接触して使用感が良いだけでなく、超極細線繊維を含む着塵布によって優れた着塵力を発揮する。しかも、洗浄液を含浸させて使用する場合には、上記スポンジ体の保水性によって長時間連続して清掃することができる。さらに、この払拭体は、スポンジ体の表面に着塵布を熱溶着によって一体に固着しているため、強度が全体として非常に強くなっており、清掃によって着塵布が擦り切れたり剥離したりすることがないだけでなく、洗浄液に浸漬して強く絞っても、着塵布及びスポンジ体が容易に破損することがない。
【０００８】
清掃により払拭体が汚れたときは、該払拭体を取付部材から取り外し、洗濯して再使用するが、上述したようにこの払拭体は強度が高められているため、長期間繰り返し再使用することができる。
【０００９】
本発明の一つの具体的な実施態様によれば、上記清掃具本体が、一方向に長い平面視矩形状の上記取付部材と、該取付部材の上面に傾動自在に連結された柄棒とからなっていて、上記取付部材は、下面の幅方向両側部に平坦な払拭体当接面を有すると共に、これらの当接面の間に溝状をした上記窪みを有し、この窪み内に上記フックが複数形成されており、上記払拭体は、上記取付部材より縦横の寸法が大きく形成されていて、幅方向の両側部が複数の小片に分割されている。
【００１０】
本発明の他の具体的な実施態様によれば、上記清掃具本体が、平坦な払拭体当接面を有する上記取付部材と、この取付部材に固定的に連なる柄棒とを有していて、上記払拭体当接面に溝状をした上記窪みが形成されると共に、この窪み内に上記フックが複数形成され、上記払拭体は、上記取付部材の払拭体当接面より外形寸法の大きい薄板状の本体部と、この本体部の先端を短冊状に分割することにより形成された複数の小突片とを有していて、上記本体部に複数の係止孔が設けられているも。
【００１１】
本発明の更に他の具体的な実施態様によれば、上記清掃具本体が、柄棒の先端に上記取付部材を有し、上記払拭体が、上記取付部材に取り付けるための基端部と、対象物を清掃するための作業部とを有していて、該作業部に、柱状の対象物を嵌合して払拭するための窪みを有している。
【００１２】
本発明において好ましくは、上記複数のフックのうち一部について、係止頭の長さを他のフックより長く形成しておくことである。
これにより、清掃時に払拭体が取付部材の軸線方向にずれ動いたり、変形したりした場合でも、全てのフックが同時に係止孔から外れることがなく、該払拭体の取付状態を確実かつ安定的なものとすることができる。
【００１３】
【発明の実施の形態】
図１〜図３は本発明の清掃具の第１実施例を示すもので、この第１実施例の清掃具Ａは、汚れを拭き取るための払拭体１Ａと、この払拭体１Ａを装着して清掃作業を行うための清掃具本体２Ａとを備えている。
【００１４】
上記清掃具本体２Ａは、上記払拭体１Ａを着脱自在に取り付けるための一方向に長い長方形状をしたプレート状の取付部材３Ａと、この取付部材３Ａの上面に連結部４を介して前後及び左右に傾動自在に連結された握持用の柄棒５Ａとで構成され、上記取付部材３Ａの下面の左右両側部に、該取付部材３Ａの長手方向に延びる払拭体用当接面６Ａ，６Ａを備えている。上記取付部材３Ａは、合成樹脂や金属等の硬質素材により形成されている。
【００１５】
上記当接面６Ａ，６Ａの間には、溝状をした窪み７Ａがこれらの当接面６Ａ，６Ａと平行に形成されている。この窪み７Ａの溝幅は、上記払拭体１Ａの中間部を弾性的に屈曲させた状態で押し込み可能な大きさに形成されていて、該窪み７Ａの内底部には、上記払拭体１Ａを装着するためのフック８Ａが、該窪み７Ａに沿って一定間隔で複数設けられている。
【００１６】
上記フック８Ａは、逆Ｔ字形をなしていて、窪み７Ａの内底部から立ち上がった脚８ａと、該脚８ａの先端に連設されて窪み７Ａの幅方向両側に突出する係止頭８ｂとを有し、フック８Ａの高さは上記窪み７Ａの深さよりも低く形成されている。
【００１７】
上記払拭体１Ａは、圧縮性と弾力性及び保水性を有する薄板状のスポンジ体１０と、該スポンジ体１０の表裏両表面に固着した着塵布１１，１１とからなるもので、この着塵布１１は、直径が１〜９μｍの超極細繊維を含む不織布からなっていて、上記取付部材３Ａの縦横の寸法よりも大きい長方形状に形成され、その左右の両側辺は、複数の切込み１５を入れることによって短冊状をした複数の小片１３に分割されている。この払拭体１Ａの好ましい厚さは７〜１０ｍｍ程度である。上記着塵布１１は、スポンジ体１０の表面に熱溶着によって固着、一体化したもので、スポンジ体１０から容易に剥離しないように構成されている。上記着塵布１１を熱溶着する場合、スポンジ体１０の表面を熱溶融させてこれに着塵布１１を固着させても、あるいは、スポンジ体１０と着塵布１１の両方を熱溶融させて相互に一体化させても良い。また、上記着塵布１１はスポンジ体１０の一方の表面だけに固着しても良い。
【００１８】
上記小片１３は、上記切込み１５をＶ字形とすることによって先端側に行くに従って次第に先細りになるように形成され、これにより、清掃対象部位に応じて各小片１３が個別に弾性変形するのを容易にすると共に、これらの小片１３で細溝や隙間内にたまっている塵埃を掻き取ったり、あるいは掻き出したりするのに適した形状となっている。
【００１９】
上記着塵布１１は、上記スポンジ体１０よりも薄手のシート状をしたもので、例えばポリプロピレン、ポリエステル、アクリルのような親油性の繊維や、レーヨンのような親水性の繊維を、それぞれ単独で用いるか、あるいは、親油性繊維と親水性繊維とを適当な比率で混合して形成することができる。また、この着塵布１１を構成する繊維は、全てが超極細繊維であっても良いが、一部に超極細繊維を使用して、残りにそれより繊維径の大きい直径１０〜３０μｍ程度の極細繊維を使用することもできる。
【００２０】
上記払拭体１Ａの中央には、上記取付部材３Ａの窪み７Ａ内のフック８Ａに係止させるための係止孔１４が、各フック８Ａと対応する位置に複数設けられている。そしてこの払拭体１Ａは、その中間部を窪み７Ａ内に押し込んでフック８Ａを係止孔１４に嵌合させ、係止頭８ｂを該係止孔１４の孔縁に係止させることにより、清掃具本体２Ａの取付部材３Ａに取り付けられている。このとき、払拭体１Ａの上記窪み７Ａ内に押し込まれた部分は、フック８Ａの係止頭８ｂと窪み７Ａの内底部との間で圧縮され、その弾性復元力によって該払拭体１Ａが係止頭８ｂに強く係止するため、該払拭体１Ａの取り付けは確実かつ強固になる。また、上記フック８Ａの高さが窪み７Ａの深さよりも低いため、払拭体１Ａを取り付けた状態でこのフック８Ａの係止頭８ｂが払拭体１Ａより外方へ突出することがない。
【００２１】
上記構成を有する清掃具Ａは、払拭体１Ａに水や洗剤等の洗浄液を適量含浸させるか、あるいは含浸させない状態で、該払拭体１Ａを床面等の清掃対象物に押し当てて拭き掃除を行う。このとき、上記払拭体１Ａが、清掃具本体２Ａの取付部材３Ａに、その下面中央部にある窪み７Ａ内の複数のフック８Ａにより取り付けられているが、これらのフック８Ａは高さが窪み７Ａの深さよりも低いため、払拭体１Ａを取り付けた状態で該払拭体１Ａより外方へ突出することがなく、従って、これらのフック８Ａが清掃の邪魔になったり、対象物と接触してそれらを傷付けたりすることがない。
【００２２】
また、上記払拭体１Ａは、上記スポンジ体１０の圧縮性と弾性力によって対象物にソフトに接触して使用感が良いだけでなく、超極細線繊維を含む着塵布１１によって優れた着塵力を発揮する。しかも、洗浄液を含浸させて使用する場合には、上記スポンジ体１０の保水性によって長時間連続して清掃することが可能である。さらに、上記着塵布１１とスポンジ体１０とを熱溶着によって一体に固着しているため、払拭体１Ａの強度が全体として非常に強くなっており、清掃によって擦り切れにくいだけでなく、洗浄液に浸漬して強く絞っても、着塵布１１及びスポンジ体１０が容易に破損することがない。
【００２３】
清掃により払拭体１Ａが汚れたときは、該払拭体１Ａを取付部材３Ａから取り外し、洗濯して再使用するが、着塵布１１とスポンジ体１０とを熱溶着することによってその強度が高められているため、長期間繰り返し再使用することができる。
【００２４】
上記第１実施例では、払拭体１Ａの端縁に先細り状をした小片１３を設けているが、小片１３の形状はこのようなものに限らず、均一大きさであっても良い。あるいは、このような小片１３を省略することもできる。
また、この実施例ではフック８Ａをフランジ部分９，９を有した断面略Ｔ字状のものを用いているが、これに限らず、払拭体１Ａの係止孔１４に嵌合、係止可能なものであれば、断面略Ｌ字状のもの等の適当な構成のものを用いることができる。
さらに、この実施例では、図に示すように、払拭体１Ａは、スポンジ体１０が露出した態様となっているが、スポンジ体１０は着塵布１１によって露出することなく全て被覆されていてもよい。また、着塵布１１をスポンジ体１０よりも長く形成して、該スポンジ体１０と貼着されない部分を自由端として清掃に供するように構成してもよい。
【００２５】
図４〜図８は本発明の第２実施例を示すもので、この第２実施例の清掃具Ｂは、上記第１実施例の清掃具Ａとは清掃具本体２Ｂと払拭体１Ｂの形状が若干異なっている。
【００２６】
即ち、上記清掃具本体２Ｂは、図４〜図７に示すように、細長い矩形状をした取付部材３Ｂを有している。この取付部材３Ｂは、幅方向の中央部を上方に湾曲させることによってこの湾曲部分に溝状の窪み７Ｂが形成されると共に、この窪み７Ｂの両側に当接面６Ｂ，６Ｂが形成され、上記窪み７Ｂの内底部に複数のフック８Ｂが設けられている。これらのフック８Ｂは、窪み７Ｂの内底部から該窪み７Ｂ内に向けて延びる脚８ａと、該脚８ａの先端部に連設されて取付部材３Ｂの軸線方向に細長く延びる係止頭８ｂとからなっていて、これら複数のフック８Ｂのうち取付部材３Ｂの長手方向の両端部に位置するフック８Ｂ′は、その係止頭８ｂが長く形成され、中間部に位置する他のフック８Ｂは、その係止頭８ｂが短く形成されている。また、上記上記フック８Ｂ′の係止頭８ｂは、脚８ａから取付部材の内側（中央部側）に向けて延びる第１部分８ｂ1 と外側に向けて延びる第２部分８ｂ2 との長さが同じではなく、第２部分８ｂ2 が第１部分８ｂ1 より長く形成されている。これに対して中間部に位置するフック８Ｂの係止頭８ｂは、脚８ａから内側に向けて延びる第１部分８ｂ1 と外側に向けて延びる第２部分８ｂ2 との長さが同じである。
【００２７】
このように、一部のフックの係止頭８ｂの長さを違えると共に、脚８ａの両側の第１部分８ｂ1 と第２部分８ｂ2 の長さを違えることにより、払拭体１Ｂをこれらのフック８Ｂに係止させて清掃するとき、該払拭体１Ｂが取付部材３Ｂの軸線方向にずれ動いたり、変形したりした場合でも、全てのフック８Ｂが同時に係止孔から外れることがなく、該払拭体１Ｂの取付状態を確実かつ安定的なものとすることができる。
また、柄棒５Ｂは、上記取付部材３Ｂの上面中央に形成された連結部４に、該取付部材３Ｂの長手方向と幅方向の両方向に傾動自在なるように取付けられている。
【００２８】
なお、上記のように一部のフックの係止頭８ｂの長さを違えると共に、第１部分８ｂ1 と第２部分８ｂ2 の長さを違えるようにする点は、他の各実施例についても同様に適用することができる。
【００２９】
一方の上記払拭体１Ｂは、図５に示すように、幅方向の両側部が複数の小片１３によって波形に形成され、中央部には、上記取付部材３Ｂのフック８Ｂを係止させるためのスリット状の係止孔１４が該払拭体１Ｂの幅方向に向けて形成されている。これらの係止孔１４は、対応するフック８Ｂの長さに合わせてその長さが大小に違えられている。
【００３０】
なお、その他の構成及び作用は、上記第１実施例と実質的に同じであるから、主たる対応部分に第１実施例と同一の符号を付してそれらの説明を省略する。
【００３１】
図８及び図９は本発明の第３実施例を示すもので、この第３実施例の清掃具Ｃは、上記第１実施例の清掃具Ａとは異なる形状の払拭体１Ｃと清掃具本体２Ｃとを備えている。即ち、上記清掃具本体２Ｃは、平坦な払拭体当接面６Ｃを下面に有する取付部材３Ｃと、該取付部材３Ｃに固定的に連なる握持用の柄棒５Ｃとを備えている。上記取付部材３Ｃは、平面視略長円状に形成されていて、その上面側の中央部分が、払拭体当接面６Ｃに形成した窪み７Ｃの深さ分だけ隆起し、その隆起した部分に、取付部材３Ｃの後方に延びる上記柄棒５Ｃが一体に設けられている。
【００３２】
また、上記取付部材３Ｃには、上記隆起部分の内部に窪み７Ｃが形成されていて、該窪み７Ｃの内底部に、窪み７Ｃの深さよりも高さが低い断面略Ｔ字状のフック８Ｃが一定間隔で複数設けられている。なお、このフック８Ｃの構成は上記１実施例のものと同じである。上記窪み７Ｃは、第１実施例のものと異なり、その回りを当接面６Ｃで囲まれている。
【００３３】
一方、上記払拭体１Ｃは、上記清掃具本体２Ｃよりも外形寸法の大きい薄板状の本体部１２と、この本体部１２の先端に設けられた複数の小片１３とを備えている。上記本体部１２の中央における上記フック８Ｃと対応する位置には、該フック８Ｃが係止する係止孔１４が設けられている。また、上記小片１３は、上記本体部１２の先端に切り込み１６を入れることにより短冊状に形成したもので、先端部が指状に丸く形成されている。なお、この小片１３の長さは、狭い隙間等に挿入しての清掃を行いやすくするため、払拭体１Ｃ全体の大きさに対してして比較的長めに設けている。
【００３４】
なお、その他の構成及び作用は上記第１実施例と実質的に同じであるから、主たる対応部分には同一の符号を付してそれらの説明を省略する。
【００３５】
上記構成を有する清掃具Ｃは、基本的に上記第１実施例のものと同様の効果が得られるが、いわゆるハンドモップであるため、比較的小さい対象物や狭い部位の清掃に好適に用いられる。
【００３６】
この第３実施例では、上記窪み７Ｃが、取付部材３Ｃの中央部分のみを窪ませることにより形成されているが、これに限らず、上記取付部材３Ｃを横断するように窪み７Ｃを設けてもよい。
【００３７】
図１０及び図１１は本発明の第４実施例を示すもので、この第４実施例の清掃具Ｄは、例えば蛍光灯などの柱状をした清掃対象物の外面を清掃するのに適するように形状されており、柄棒５Ｄの先端に払拭体用取付部材３Ｄを設けた清掃具本体２Ｄと、上記取付部材３Ｄに取り付けられた一対の払拭体１Ｄ，１Ｄとを備えている。
【００３８】
上記清掃具本体２Ｄにおける取付部材３Ｄは、柄棒５Ｄの先端に直接形成されていて、両外側面の相対する位置に、該柄棒５Ｄの軸線と直交する方向に延びる溝状をした窪み７Ｄ，７Ｄがそれぞれ設けられ、これらの各窪み７Ｄ，７Ｄの内底部に、該窪み７Ｄの深さよりも高さが低いフック８Ｄが複数設けられ、これらのフック８Ｄで上記払拭体１Ｄを取り付けるようにしている。なお、このフック８Ｄの構成は上記第１実施例と同様である。
【００３９】
上記各払拭体１Ｄは、上記取付部材３Ｄに取り付けるための基端部１７と、清掃に使用する作業部１８とを一体に有するもので、上記基端部１７には、清掃具本体２Ｄの上記フック８Ｄと嵌合、係止する係止孔１４を備えている。また、上記作業部１８は、柱状の対象物の外面に摺接する一対の湾曲アーム１８ａ，１８ａを、それらの先端部間に隙間２０を介在させた状態に配設したもので、全体として略Ｃ字状に形成され、これらの湾曲アーム１８ａ，１８ａの間に対象物が嵌合する窪み１９が形成されている。これらの湾曲アーム１８ａ，１８ａの内周面は、清掃対象物の外面を効率良く清掃できるように、スポンジ体１０が露出することのないように着塵布１１で被覆してあることが望ましい。
【００４０】
なお、その他の構成は、上記第１実施例と実質的に同じであるから、主たる対応部分には同一の符号を付してそれらの説明を省略する。
【００４１】
上記構成を有する第４実施例の清掃具Ｄは、清掃具本体２Ｄに一対の払拭体１Ｄ，１Ｄを装着した上で、各払拭体１Ｄの湾曲アーム１８ａ，１８ａの先端間の隙間２０から柱状の清掃対象物を窪み１９内に嵌入し、この清掃具を清掃対象物に沿って摺動させることにより清掃を行う。
【００４２】
上記第４実施例では、払拭体１Ｄを２つ用いているが、１つだけ用いて清掃具本体２Ｄの当接面３Ｄの片側のみに装着させるようにしてもよい。
また、上記払拭体１Ｄの作業部１８の窪み１９は円環状としているが、三角形状や矩形状等の任意の形状とすることができる。
さらに、払拭体１Ｄは、図に示すように作業部１８と基端部１７とがほぼ一定の厚さとしているが、基端部１７よりも作業部１８を厚めに形成し、該作業部１８の湾曲アーム１８ａ内周面を大きくして作業面を広くすると共に、該湾曲アーム１８ａの剛性を大きくして清掃を行い易くするようにしてもよい。
【００４３】
【発明の効果】
以上に詳述したように本発明の清掃具によれば、払拭体を係止させるためのフックが外部に突出して清掃の邪魔になったり、対象物と接触して該対象物に傷を付けたりすることがなく、かつ、払拭体がスポンジ体に着塵布を貼着することにより形成されているため、着塵能力に優れ、清掃時の使用感にも優れる。
【図面の簡単な説明】
【図１】本発明の清掃具の第１実施例を示す斜視図である。
【図２】図１の要部拡大端面図である。
【図３】図１の底面図である。
【図４】本発明の清掃具の第２実施例を示す要部側面図である。
【図５】図４の平面図である。
【図６】図５におけるＡ−Ａ線での断面図である。
【図７】図５におけるＢ−Ｂ線での断面図である。
【図８】本発明の清掃具の第３実施例を示す斜視図である。
【図９】図８の要部断面図である。
【図１０】本発明の清掃具の第４実施例を示す、図１１におけるＣ−Ｃ線での断面図である。
【図１１】図１０におけるＤ−Ｄ線での断面図である。
【符号の説明】
１Ａ，１Ｂ，１Ｃ，１Ｄ    払拭体
２Ａ，２Ｂ，２Ｃ，２Ｄ    清掃具本体
３Ａ，３Ｂ，３Ｃ，３Ｄ    取付部材
５Ａ，５Ｂ，５Ｃ，５Ｄ    柄棒
６Ａ，６Ｂ，６Ｃ    払拭体当接面
７Ａ，７Ｂ，７Ｃ，７Ｄ    窪み
８Ａ，８Ｂ，８Ｃ，８Ｄ    フック
１０    スポンジ体
１１    着塵布
１２    本体部
１３    小片
１４    係止孔
１７    基端部
１８    作業部
１９    窪み
【図１】
0004027657.tif 000002
【図２】
0004027657.tif 000003
【図３】
0004027657.tif 000004
【図４】
0004027657.tif 000005
【図５】
0004027657.tif 000006
【図６】
0004027657.tif 000007
【図７】
0004027657.tif 000008
【図８】
0004027657.tif 000009
【図９】
0004027657.tif 000010
【図１０】
0004027657.tif 000011
【図１１】
0004027657.tif 000012